(57)【要約】【課題】  混入した異物による様々な故障を防止することのできる車載用の電子機器を提供すること。【解決手段】  前面パネル３および本体ケース７を有する電子機器１であって、本体ケース７に、記録媒体１２に保持されたデータを再生する再生部１０が収納され、前面パネル３は、記録媒体１２を再生部１０へ挿入する挿脱口１１を有し、挿脱口１１の本体ケース７側に挿脱口１１から侵入した所定の大きさの異物Ａが通過可能な開口部を有する収納部１５を備える。【選択図】図２
2012009649.tif 000002
【特許請求の範囲】
【請求項１】
前面パネルおよび本体ケースを有する電子機器であって、
前記本体ケースに、記録媒体に保持されたデータを再生する再生部が収納され、
前記前面パネルは、前記記録媒体を前記再生部へ挿入する挿脱口を有してなり、
前記挿脱口の前記本体ケース側に前記挿脱口から侵入した所定の大きさの異物が通過可能な開口部を有する収納部を備える電子機器。
【請求項２】
前記収納部は、前記異物を前記前面パネルおよび前記本体ケースの外側に取り出し可能なスリットに接続されていることを特徴とする請求項１に記載の電子機器。
【請求項３】
前記スリットは、前記前面パネルまたは前記本体ケースに有することを特徴とする請求項２に記載の電子機器。
【請求項４】
前記スリットに蓋を設けたことを特徴とする請求項２に記載の電子機器。
【請求項５】
前記収納部は、前記スリット手前に前記異物を一時収納するポケットを有することを特徴とする請求項２に記載の電子機器。
【請求項６】
前記本体ケースを車両に取り付けた状態から略９０度傾けることにより、前記スリットが下向きとなることを特徴とする請求項５に記載の電子機器。
【発明の詳細な説明】
【技術分野】
【０００１】
本発明は、誤挿入された硬貨またはクリップなどによる故障を防止することが可能な車載用の電子機器に関する。
【背景技術】
【０００２】
車両に取り付けられ、光ディスク再生装置を内蔵する電子機器において、子供などが誤ってディスクの挿入口に硬貨などの異物を誤挿入することがある。その際、誤挿入された異物がシャーシ内部の回路基板などの導電部に接触し、電子機器が故障に至る問題が市場で発生している。
【０００３】
そこで、図４に示すように、誤挿入された異物がシャーシ内部の回路基板、導電部に接触しないように、シャーシ４５の内方へ突出するリブ状の凸部４８ａ、４８ｂを側壁４５ａに一体で形成し、回路基板４２の周辺端部４２ａと凸部４８ａ、４８ｂとの最小隙間４６ｂ、４６ｃおよび側壁４５ａとの隙間４６ａを、異物４１２の幅寸法Ｂよりも狭く設定することが提案されている（例えば、特許文献１参照）。この構成により下部空間４１１側への異物４１２の侵入を防止することができ、シャーシ内部の回路基板などの導電部に接触することによる、電子機器の故障を防止することができる。
【先行技術文献】
【特許文献】
【０００４】
【特許文献１】特開２００７−８０９００号公報
【発明の概要】
【発明が解決しようとする課題】
【０００５】
しかしながら、従来の構造では、下部空間４１１への異物４１２の侵入を防止することはできるが、異物４１２が侵入すれば詰まりを引き起こすディスク再生デッキなど、電子機器の機能に影響を及ぼし、場合によっては故障に至る他の部分への侵入を防ぐことができないとの問題がある。特に、車載用の電子機器は、走行による振動や衝撃などにより、混入した異物が電子機器内の様々な場所に移動する可能性がある。
【０００６】
本発明は、従来の問題を解決するためになされたもので、誤挿入などにより混入した異物による様々な故障を防止することのできる車載用の電子機器を提供することを目的とする。
【課題を解決するための手段】
【０００７】
本発明は、前面パネルおよび本体ケースを有する電子機器であって、本体ケースに、記録媒体に保持されたデータを再生する再生部が収納され、前面パネルは、記録媒体を再生部へ挿入する挿脱口を有し、挿脱口の本体ケース側に挿脱口から侵入した所定の大きさの異物が通過可能な開口部を有する収納部を備える。
【発明の効果】
【０００８】
本発明は、従来の問題を解決するために、電子機器に誤挿入された所定の大きさの異物が通過可能な開口部を有する収納部を設けることにより、異物が誤挿入されたことによる様々な故障を防止することが可能な車載用の電子機器を提供することができる。
【図面の簡単な説明】
【０００９】
【図１】本発明の実施形態にかかる電子機器を示す斜視図
【図２】同電子機器の断面図
【図３】同電子機器の前面パネルの裏側を示す斜視図
【図４】従来の電子機器の一部断面図
【発明を実施するための形態】
【００１０】
以下、本発明の実施形態の電子機器１について、図面を用いて説明する。
【００１１】
図１は、車両のコンソールボックスなどに取り付けられた電子機器１の全体斜視図を示している。電子機器１は、記録媒体に保持された音楽データなどを再生する再生部１０を内蔵している。再生部１０は、光ディスク１２に保持された音楽データなどを再生する図２に示す光ディスク装置１０ａが代表であるが、カセットテープを再生するカセットデッキである場合もある。その他にも電子機器１は、ラジオ２等を本体ケース７に内蔵している。なお、本発明の実施形態では、再生部１０が光ディスク装置１０ａであるとして説明する。
【００１２】
また、電子機器１は前面パネル３を有し、前面パネル３には、機能を切り替える釦４ａや電源／ボリュームつまみ４ｂに加えて、光ディスク装置１０ａにおける挿脱口１１、ラジオ用のチューニングつまみ２ａ等が設けられている。また、内部には、ラジオ２、光ディスク装置１０ａ等を制御する制御部（図示せず）が設けられている。
【００１３】
図２は、電子機器１に設けられた本発明の実施形態である前面パネル３の、図１中II−II位置における断面図である。
【００１４】
図２に示すように、光ディスク装置１０ａは、情報が記録された光ディスク１２を内部に収納可能な本体１３と、この本体１３の内部に対して光ディスク１２を挿脱可能な開口１１ａと、本体１３の内部に設けられ、光ディスク１２を挟持した状態で回転することにより搬送可能な一対のローラである挿脱ローラ１４とを備えている。
【００１５】
本体１３の内部には、挿脱口１１から挿入された光ディスク１２の再生を行う図示省略の再生機構が設けられている。なお、この場合、前面パネル３に設けられている収納開始操作手段であるボタン６を押して、光ディスク１２を挿入する。
【００１６】
図３は、電子機器１に設けられた本発明の実施形態である前面パネル３を裏側から見た図を示している。
【００１７】
前面パネル３の裏側には、釦６やつまみ４ｂを実装したプリント基板１６が取り付けられ、このプリント基板１６には、図１の釦４ａによる機能切り替えや、図１のつまみ４ｂによるボリューム操作などを行う回路が実装されている。
【００１８】
また、プリント基板１６には、挿脱口１１と勘合する孔が設けられ、挿脱口１１に挿入された光ディスク１２は、光ディスク装置１０ａへと搬送可能となっている。そして挿脱口１１の本体ケース７側に、前面パネル３と本体ケース７の間に挿脱口１１から侵入した所定の大きさの異物Ａが通過可能な開口部を有する収納部１５が設置されている。
【００１９】
この収納部１５は、本体７と前面パネル３の間に設置されており、異物Ａが誤挿入されたとき、異物Ａは光ディスク装置１０aに入ることなく、異物Ａを一時収納可能な収納部１５の下部のポケット１５ａへ落ちる。そして、ポケット１５ａは、前面パネル３の側面１９に設けたスリット１７に接続する構造となっている。なお、スリット１７は、誤挿入された異物Ａを前面パネル３および本体ケース７の外部へ取り出すことのできる開口部であればよく、形状は縦長の四角形に限らない。また、スリット１７は、本体ケース７など
別の箇所に設けられてもよい。
【００２０】
また、収納部１５に傾斜を設け、誤挿入された異物がポケット１５ａに集まる構造とすれば、より異物Ａの排出が容易となる。
【００２１】
また、サービス工場などでの電子機器１を車両から外し、本体ケース７を車両に取り付けた状態から略９０度傾けることによりスリット１９が下向きとなるようにすれば、電子機器１の本体ケース７や前面パネル３などを取り外して分解することなく、混入した異物Ａを容易に取り出すことが可能となる。
【００２２】
なお、収納部１５は、前面パネル３の前方に設けたスリット１７と接続され、異物Ａを一時収納するのではなく、異物Ａが誤挿入されるとそのままスリット１７を通じて外部へ異物Ａを排出する構造でもよい。この場合、スリット１７に蓋を設ければ、収納部１５に異物Ａを一時収納する構造を特別に設けなくとも、一時収納可能となる。
【００２３】
一方、光ディスク１２のように直径が図２に示すＲより大きければ、ディスクガイド１８により光ディスク１２は光ディスク装置１０ａ内部へ誘導される。このように、直径がＲ以下のコイン等の異物Ａが誤挿入された際、光ディスク装置１０aの内部に入ることがない。
【００２４】
ここで、車両に取り付けられた電子機器１は、車両のサービス工場などでは、取り外すことはできても製品保証の問題などにより本体ケース７や前面パネル３などの筺体を分解することができない場合が多い。そうすると、取り外した電子機器を製造したメーカーに送らなければ修理ができないなど、非常に多くの手間や時間が必要になる。
【００２５】
しかし、本発明の実施形態のように、混入した異物を電子機器１の機能に影響しない箇所へ誘導し、スリット１９により容易に取り出すことのできる構造とすることにより、車両のサービス工場などでも異物Ａを容易に取り出すことができる。
【００２６】
以上説明したように、本発明の実施形態による電子機器１は、前面パネル３と本体ケース７の間に、挿脱口１１から誤挿入された小型の異物Ａを誘導する収納部１５を設置している。そうすることにより、光ディスク再生装置１０ａの内部やプリント基板１６の近くに異物Ａが入ることを防止することのみならず、異物Ａによる光ディスク再生装置１０ａの詰まりなど、様々な不具合を防止することができる。特に、サービス工場などでは、電子機器１を取り外すことはできても製品保証の問題から分解することができない場合が多い。そのような場合でも、本発明の実施形態のようにスリット１９を設ければ、取り外した電子機器１を製造したメーカーに送り修理をするなどの手間を省くことが可能となる。
【産業上の利用可能性】
【００２７】
以上のように、本発明にかかる電子機器は、異物が誤挿入されたことによる故障を防止することに加え、電子機器を分解することなく異物を排出可能であり、車両に搭載される音響機器などとして有用である。
【符号の説明】
【００２８】
１  電子機器
２  ラジオ
３  前面パネル
４ａ  釦
４ｂ  電源／ボリュームつまみ
６  ボタン
７  本体ケース
１０  再生部
１０ａ  光ディスク装置
１１  挿脱口
１１ａ  開口
１２  光ディスク
１４  挿脱ローラ
１５  収納部
１５ａ  ポケット
１６  プリント基板
１７  スリット
１８  ディスクガイド
１９  側面
Ａ  異物
【図１】
2012009649.tif 000003
【図２】
2012009649.tif 000004
【図３】
2012009649.tif 000005
【図４】
2012009649.tif 000006